(57)【要約】      （修正有）【課題】機能性と利便性を高めたクリップボードを提供する。【解決手段】表面にボードとボード面の上部に書類を挟んで保持するためのクリップとを備えたクリップボードであって、前記ボードをホワイトボード仕様とするとともに、前記ボードの外周を保護するために縫いつけられたバイアステープ３と、前記ボード面の下部角部２箇所に書類を挟んで押さえるための紙押さえ６とを備え、裏面には、ボード上部を開口部としボードに納まるサイズの蓋付き袋状書類収納部とその左右端には紐を通してボードを保持するための複数の三角カンを備え、さらに、前記袋状書類収納部の蓋は袋状小物収納部としての機能を兼ね備えた。【選択図】図１
0003224207.tif 000002
【実用新案登録請求の範囲】
【請求項１】
表面にボードとボード面の上部に書類を挟んで保持するためのクリップとを備えたクリップボードであって、前記ボードをホワイトボード仕様とするとともに、前記ボードの外周を保護するために縫い付けられたバイアステープを備えたことを特徴とするホワイトボード付きクリップボード。
【請求項２】
請求項１に記載のホワイトボード付きクリップボードにおいて、前記ボード面の下部角部２箇所に書類を挟んで押さえるための紙押さえをさらに備えたことを特徴とするホワイトボード付きクリップボード。
【請求項３】
請求項１又は請求項２に記載のホワイトボード付きクリップボードにおいて、裏面には、ボード上部を開口部としボードに納まるサイズの蓋付き袋状書類収納部とその左右端には紐を通してボードを保持するための複数の紐固定具を備えたことを特徴とするホワイトボード付きクリップボード。
【請求項４】
前記紐固定具は三角カンとし、ボード裏面の左辺上部の角、右辺上部の角、右辺の中央部、及び右辺下部の角にそれぞれ設けられたことを特徴とする請求項３に記載のホワイトボード付きクリップボード。
【請求項５】
請求項３に記載のホワイトボード付きクリップボードにおいて、裏面に設けられた袋状書類収納部の蓋は全開口部覆い型とし、前記袋状書類収納部の蓋は袋状小物収納部としての機能を兼ね備え、さらに前記袋状小物収納部には全開口部覆い型の蓋となる生地をも備えたことを特徴とするホワイトボード付きクリップボード。
【考案の詳細な説明】
【技術分野】
【０００１】  本考案は、書類を挟むクリップが取り付けられたボードの裏面に収納部を備えたクリップボードに関する。
【背景技術】
【０００２】  クリップボードは、通常、クリップ部に書類を挟んで使用され、ボードは書類に筆記する際の下台としての機能を有している。利便性向上のため以前よりボードあるいはバインダーの表又は裏側に書類収納部を装着した構造のボードも存在する（特許文献１又は２参照）。
【先行技術文献】
【特許文献】
【０００３】
【特許文献１】特開２０１５−１０４８２８号  公報
【特許文献２】実用新案登録第３１７９２１９号  公報
【考案の概要】
【考案が解決しようとする課題】
【０００４】  上述の様に、従来のクリップボードは単にクリップに紙を挟んで使用する以外に機能がなく、またボードの表又は裏面に書類収納部を装着したものも存在するが収納できる書類の枚数が少なく、筆記用具等の小物を収納する機能も備えていないため機能性や利便性に課題があった。
【課題を解決するための手段】
【０００５】  本考案は上記課題を解決するために、表面にボードとボード面の上部に書類を挟んで保持するためのクリップとを備えたクリップボードであって、前記ボードをホワイトボード仕様とするとともに、前記ボードの外周を保護するために縫いつけられたバイアステープと、前記ボード面の下部角部２箇所に書類を挟んで押さえるための紙押さえとを備え、裏面には、ボード上部を開口部としボードに納まるサイズの蓋付き袋状書類収納部とその左右端には紐を通してボードを保持するための複数の三角カンを備え、さらに、前記袋状書類収納部の蓋は袋状小物収納部としての機能を兼ね備えたことを特徴としている。
【考案の効果】
【０００６】  上述の様に、クリップボードとホワイトボードの機能を一体化させたことにより、クリップボード本体に複数の機能を持たせることができ、しかもボード本体の裏面に袋状書類収納部や袋状小物収納部を設けることによりクリップボードとしての機能と収納の機能とを一体化させることができるとともに使用者の利便性の向上を図ることができる。
【図面の簡単な説明】
【０００７】
【図１】本考案に係るホワイトボード付きクリップボードの表面を示す図である。
【図２】本考案に係るホワイトボード付きクリップボードの裏面を示す図である。
【図３】図２の袋状小物収納部の蓋を開けた状態を示す図である。
【図４】図２の袋状書類収納部の蓋を開けた状態を示す図である。
【考案を実施するための形態】
【０００８】  以下、本考案に係るホワイトボード付きクリップボードの実施の形態について図１〜図４に基づいて説明する。
本考案のホワイトボード付きクリップボード１は、図１に示すように、表面にホワイトボード２を設け、外周をバイアステープ３で覆い、さらにクリップ４、持ち手５、紙押さえ６を設けている。
【０００９】  ホワイトボード付きクリップボード裏面７には、図２に示すように、袋状書類収納部８と名前タグ９と三角カン１０を設け、さらに前記袋状書類収納部８の蓋と一体化した形態で袋状小物収納部１１を設けている。
【００１０】  ホワイトボード２は、ポリ塩化ビニール等素材にて形成されたホワイトボード付きクリップボード１の図示しない基板に貼り合わされ、ボードの外周をポリエステル等素材で形成されたバイアステープ３で縫合されており、ホワイトボードとして機能するとともに、ホワイトボード２の上部中央に接合された金属製のクリップ４と、ホワイトボード２の下部左右２箇所にバイアステープ３によって縫合されたゴム製の紙押さえ６に書類等を挟むことでクリップボードとして機能する。
【００１１】  また、袋状書類収納部８は、図２〜図４に示すように、ターポリン等素材を使用し、バイアステープ３で縫合している。袋状書類収納部８の蓋は袋状小物収納部１１と兼用とし、袋状書類収納部８と重ねるように同素材の布を縫合し、袋状小物収納部１１の裏面と袋状書類収納部８の表面に面テープ１２ｂを設けることにより開閉を容易としている。
【００１２】  袋状小物収納部１１は、ポリエステル等素材を袋状に形成して本体に縫合している。袋状小物収納部１１の蓋１１ａは袋状小物収納部１１と重ねるように同素材の布を縫合し、蓋１１ａの裏面と袋状小物収納部１１の表面に面テープ１２ａを設けることにより開閉を容易としている。
【００１３】  なお、ホワイトボード付きクリップボード裏面７上の三角カン１０は、実施例では左辺上部の角、右辺上部の角、右辺の中央部、及び右辺下部の角に設けているが、これ以外に例えば、左辺上部の角、右辺上部の角、右辺中央部付近２箇所、右辺下部の角の計５箇所に設けるようにしてもよい。三角カン１０は、バイアステープ側に取り付け固定しているが、ボード側に直接取り付けるようにしてもよい。
また、実施例では、紐固定具として三角カン１０を使用しているが、これに換えて丸カンやＤカンなどを使用してもよい。紐固定具の素材については、金属やプラスチックなど強度・耐久性を満たすものであれば特に問わない。
【００１４】  本考案に係るホワイトボード付きクリップボードは、クリップボードとホワイトボードの機能を一体化させたことにより、クリップボード本体に複数の機能を持たせることができ、しかもボード本体の裏面に袋状書類収納部や小物収納部を設けることによりクリップボードとしての機能と収納の機能とを一体化させることができるとともに使用者の利便性の向上を図ることができる。
【符号の説明】
【００１５】  １  ホワイトボード付きクリップボード
２  ホワイトボード
３  バイアステープ
４  クリップ
５  持ち手
６  紙押さえ
７  ホワイトボード付きクリップボード裏面
８  袋状書類収納部
９  名前タグ
１０  三角カン（紐固定具）
１１  袋状小物収納部
１１ａ  袋状小物収納部の蓋
１２ａ、１２ｂ  面テープ
【図１】
0003224207.tif 000003
【図２】
0003224207.tif 000004
【図３】
0003224207.tif 000005
【図４】
0003224207.tif 000006